【手続補正書】
【提出日】平成27年3月24日(2015.3.24)
【手続補正１】
【補正対象書類名】特許請求の範囲
【補正対象項目名】全文
【補正方法】変更
【補正の内容】
【特許請求の範囲】
【請求項１】
コーンビームＸ線を発生するＸ線発生部と、
前記Ｘ線発生部から発生され、被検体を透過したＸ線を複数の検出素子で検出する２次元アレイ型またはマルチスライス型のＸ線検出部と、
前記被検体に対するスキャン条件と再構成条件とのうち少なくとも一つに基づいて、再構成処理に必要な角度範囲の投影データが実測データで揃わないマスク領域において、前記Ｘ線発生部の回転に関する回転軸の方向の幅を決定する幅決定部と、
前記Ｘ線検出部からの出力に応じた前記投影データに基づいて、前記マスク領域のうち前記決定された幅により規定される領域を有する再構成領域に関するボリュームデータを再構成する再構成部と、
を具備することを特徴とするＸ線コンピュータ断層撮影装置。
【請求項２】
前記スキャン条件は、前記Ｘ線のコーン角に対応する前記検出素子の列数であり、
前記再構成条件は、前記被検体の撮影対象部位であること、
を特徴とする請求項１に記載のＸ線コンピュータ断層撮影装置。
【請求項３】
前記再構成領域は、前記投影データが前記実測データで揃う中央部分と、前記規定された領域に対応し前記中央部分の両側に位置する端部分と、を有し、
前記投影データを揃えるために、前記実測データと前記決定された幅とに基づいて、前記端部分における補間データを発生する補間データ発生部をさらに具備し、
前記再構成部は、
前記実測データと前記補間データとに基づいて、前記再構成領域に関する前記ボリュームデータを再構成すること、
を特徴とする請求項１または２に記載のＸ線コンピュータ断層撮影装置。
【請求項４】
前記回転軸に垂直な長さにより規定される前記再構成領域の径を入力する入力部をさらに具備し、
前記幅決定部は、
前記入力された径と前記列数と前記撮影対象部位とに基づいて、前記幅を決定すること、
を特徴とする請求項２に記載のＸ線コンピュータ断層撮影装置。
【請求項５】
前記幅決定部は、前記径と前記コーン角と前記撮影対象部位とにそれぞれ対応する複数の幅のうち、最も狭い幅を前記領域の幅として決定すること、
を特徴とする請求項４に記載のＸ線コンピュータ断層撮影装置。
【請求項６】
前記幅決定部は、前記再構成に用いられる再構成関数と前記径とのうちいずれか一つに基づいて前記撮影対象部位を決定し、前記決定された撮影対象部位と前記径と前記コーン角とに基づいて前記幅を決定すること、
を特徴とする請求項４に記載のＸ線コンピュータ断層撮影装置。
【請求項７】
前記被検体を載置する天板と、
前記再構成領域における前記回転軸の方向の長さに基づいて、前記天板の長軸方向に沿った前記天板の移動量を決定する天板移動量決定部と、
前記決定された移動量に応じて前記天板を移動させるために、前記天板を駆動する天板駆動部とをさらに具備すること、
を特徴とする請求項１乃至６のうちいずれか一項に記載のＸ線コンピュータ断層撮影装置。
【請求項８】
コーンビームＸ線を発生するＸ線発生部と、
前記Ｘ線発生部から発生され、被検体を透過したＸ線を複数の検出素子で検出する２次元アレイ型またはマルチスライス型のＸ線検出部と、
前記被検体に対するスキャン条件と再構成条件とのうち少なくとも一つに基づいて、再構成処理に必要な角度範囲の投影データが実測データで揃わないマスク領域において、前記Ｘ線発生部の回転に関する回転軸の方向の最大幅に対する再構成領域の端部分における前記方向の最大幅の割合を決定する割合決定部と、
前記決定された割合に基づいて、前記マスク領域のうち前記再構成処理に用いられる前記端部分の領域を決定する端部分決定部と、
前記Ｘ線検出部からの出力に応じた前記投影データに基づいて、前記決定された端部分の領域を有する前記再構成領域に関するボリュームデータを再構成する再構成部と、
を具備することを特徴とするＸ線コンピュータ断層撮影装置。
【請求項９】
前記スキャン条件は、前記Ｘ線のコーン角に対応する前記検出素子の列数であり、
前記再構成条件は、前記被検体の撮影対象部位であること、
を特徴とする請求項８に記載のＸ線コンピュータ断層撮影装置。
【請求項１０】
前記投影データを揃えるために、前記実測データと前記決定された端部分とに基づいて、前記決定された領域における補間データを発生する補間データ発生部を更に具備し、
前記再構成部は、
前記実測データと前記補間データとに基づいて、前記再構成領域に関する前記ボリュームデータを再構成すること、
を特徴とする請求項８または９に記載のＸ線コンピュータ断層撮影装置。
【請求項１１】
前記Ｘ線発生部の回転に関する回転軸に垂直な長さにより規定される前記再構成領域の径を入力する入力部をさらに具備し、
前記割合決定部は、
前記入力された径と前記列数と前記撮影対象部位とに基づいて、前記割合を決定すること、
を特徴とする請求項９に記載のＸ線コンピュータ断層撮影装置。
【請求項１２】
コンピュータに、
被検体に対するスキャン条件と再構成条件とのうち少なくとも一つに基づいて、再構成処理に必要な角度範囲の投影データが実測データで揃わないマスク領域において、Ｘ線発生部の回転に関する回転軸の方向の幅を決定する機能と、
前記投影データに基づいて、前記マスク領域のうち前記決定された幅により規定される領域を有する再構成領域に関するボリュームデータを再構成する機能と、
を実現させることを特徴とする再構成処理プログラム。
【請求項１３】
前記スキャン条件は、前記Ｘ線のコーン角に対応する検出素子の列数であり、
前記再構成条件は、前記被検体の撮影対象部位であること、
を特徴とする請求項１２に記載の再構成処理プログラム。
【請求項１４】
前記再構成領域は、前記投影データが前記実測データで揃う中央部分と、前記規定された領域に対応し前記中央部分の両側に位置する端部分と、を有し、
前記投影データを揃えるために、前記実測データと前記決定された幅とに基づいて、前記端部分における補間データを発生する機能をさらに実現させ、
前記ボリュームデータを再構成する機能は、
前記実測データと前記補間データとに基づいて、前記再構成領域に関する前記ボリュームデータを再構成すること、
を特徴とする請求項１２または１３に記載の再構成処理プログラム。
【請求項１５】
前記回転軸に垂直な長さにより規定される前記再構成領域の径を入力する機能をさらに実現させ、
前記幅を決定する機能は、
前記列数と前記撮影対象部位と前記入力された径とに基づいて、前記幅を決定すること、
を特徴とする請求項１３に記載の再構成処理プログラム。
【手続補正２】
【補正対象書類名】明細書
【補正対象項目名】０００６
【補正方法】変更
【補正の内容】
【０００６】
本実施形態に係るＸ線コンピュータ断層撮影装置は、コーンビームＸ線を発生するＸ線発生部と、前記Ｘ線発生部から発生され、被検体を透過したＸ線を複数の検出素子で検出する２次元アレイ型またはマルチスライス型のＸ線検出部と、前記被検体に対するスキャン条件と再構成条件とのうち少なくとも一つに基づいて、再構成処理に必要な角度範囲の投影データが実測データで揃わないマスク領域において、前記Ｘ線発生部の回転に関する回転軸の方向の幅を決定する幅決定部と、前記Ｘ線検出部からの出力に応じた前記投影データに基づいて、前記マスク領域のうち前記決定された幅により規定される領域を有する再構成領域に関するボリュームデータを再構成する再構成部と、
を具備することを特徴とする。